(57)【要約】【課題】車椅子使用者が圧板解放時に反射鏡を見ることにより、車椅子に座りながらにして原稿セット基準を上部から見ることと同じ効果を得る反射鏡を備えた画像形成装置を提供することにある。【解決手段】原稿４をコンタクトガラス３面にセットする車椅子使用者５に対し、原稿セット基準１０を映し出す反射鏡１１を、圧板２の原稿押え面２ａ側に設ける画像形成装置において、前記圧板２の原稿押え面２ａ側に目隠し蓋２ｂと、この目隠し蓋を保持するための保持用リブｃおよびネジ穴２ｄを設け、前記保持用リブ２ｃを切断することにより設けられた嵌合穴へ前記反射鏡１１を具備した反射鏡ユニット１２を取り付け可能とした。【選択図】      図１
2004354774.tif 000002
【特許請求の範囲】
【請求項１】
原稿をコンタクトガラス面にセットするさいに、原稿セット基準を映し出す反射鏡を、圧板の原稿押え面側に設ける画像形成装置において、前記圧板の原稿押え面側に目隠し蓋と、この目隠し蓋を保持するための保持用リブおよびネジ穴を設け、前記保持用リブを切断することにより設けられた嵌合穴へ前記反射鏡を具備した反射鏡ユニットを取り付け可能としたことを特徴とする画像形成装置。
【請求項２】
前記反射鏡ユニットに、前記反射鏡の両端に設けた軸と、前記反射鏡を保持するハウジングの両側面に前記軸が嵌合するための嵌合穴を設け、前記軸と前記嵌合穴を嵌合させることにより、前記反射鏡の取り付け角度を自由に変更できるようにしたことを特徴とする請求項１記載の画像形成装置。
【発明の詳細な説明】
【０００１】
【発明の属する技術分野】
本発明は、原稿読み取り部を有する、複写機、ファクシミリ、プリンタ等の画像形成装置に関するものである。
【０００２】
【従来の技術】
従来の複写装置（画像形成装置）においては、車椅子使用者が無理なく複写装置の操作ができるようにするための対応策が種々採られている（例えば、特許文献１ないし６参照）。
従来の複写装置（画像形成装置）においては、車椅子使用者が無理なく複写装置の操作ができるようにするための対応として、原稿読み取り装置や操作部を複写装置から別体にして昇降装置へ載せ、車椅子使用者の高さへ合わせて昇降させる方法  （特許文献１）が提案されている。
また、特許文献２および３では、原稿読み取り装置や操作部を複写装置の左右側面へ展開し、車椅子使用者の高さへ合わせる方法を開示し、特許文献４では複写装置自体を昇降装置へ載せ、車椅子使用者の高さへ合わせる方法を開示している。
さらに、特許文献５および６では、視覚障害者向けの画像形成システムおよびデジタルスチルカメラを開示している。
【特許文献１】特開２００２−１４２０５２公報
【特許文献２】特開２００２−２９０６４５公報
【特許文献３】特開２００２−２９６８６０公報
【特許文献４】特開平７−３１９３６５号公報
【特許文献５】特開２０００−３２２１７８公報
【特許文献６】特開平１１−３５５６２７号公報
【０００３】
【発明が解決しようとする課題】
図６は従来の画像形成装置および車椅子使用者を示す概略斜視図である。図７は図６の画像形成装置における原稿セットを説明する概略図である。図６および図７には、画像形成装置（複写装置）１には、圧板２、コンタクトガラス３、原稿４、左スケール８および上スケール９が配置されている。画像形成装置１の近傍には、車椅子使用者５を載せた車椅子６が図示されている。
複写装置１の奥側にある原稿セット基準１０は、原稿４をコンタクトガラス３上へセットする場合、通常の複写装置１はもとより車椅子使用者５が操作し易い高さには構成されていない。
車椅子使用者５が操作し易い高さにまで複写装置１の高さを下げたとしても、車椅子使用者５が原稿セット基準１０を見る目線は矢印７のように斜め方向となるため、原稿４を原稿セット基準１０に合わせてコンタクトガラス３上へセットする作業がやり難い（見づらい）欠点がある。
図８は画像形成装置の圧板に反射鏡を設けた構成を示す概略図である。すべての画像形成装置（複写装置）１に反射鏡１１を取り付けた場合、反射鏡１１を必要としないユーザーに対しても出荷されることとなり、反射鏡１１分のコストアップとなる欠点がある。
また、仮に反射鏡１１をオプション扱いとして、反射鏡１１を必要とするユーザー先で取り付けることとした場合、反射鏡１１を必要としないユーザー先へ届いた複写装置１の圧板２の原稿押さえ面２ａには反射鏡１１を取り付けるための穴が開いていることとなり、デザイン上不都合となる欠点がある。
図９は反射鏡の取り付け角度を説明するための図８の線Ａ−Ａに沿う断面図である。さらに、反射鏡１１の取り付け角度２ｆは反射鏡１１が反射鏡取り付けリブ２ｃに固定されているため、車椅子使用者５の位置によっては、反射鏡１１が映し出す範囲から原稿セット基準１０が外れて見えなくなってしまう欠点がある。
そこで本発明の目的は、上記の問題点を解決するために、車椅子使用者が圧板解放時に反射鏡を見ることにより、車椅子に座りながらにして原稿セット基準を上部から見ることと同じ効果を得る反射鏡を備えた画像形成装置を提供することにある。
【０００４】
【課題を解決するための手段】
前記の課題を解決するために、請求項１記載の発明では、原稿をコンタクトガラス面にセットするさいに、原稿セット基準を映し出す反射鏡を、圧板の原稿押え面側に設ける画像形成装置において、前記圧板の原稿押え面側に目隠し蓋と、この目隠し蓋を保持するための保持用リブおよびネジ穴を設け、前記保持用リブを切断することにより設けられた嵌合穴へ前記反射鏡を具備した反射鏡ユニットを取り付け可能とした画像形成装置最も主要な特徴とする。
請求項２記載の発明では、前記反射鏡ユニットに、前記反射鏡の両端に設けた軸と、前記反射鏡を保持するハウジングの両側面に前記軸が嵌合するための嵌合穴を設け、前記軸と前記嵌合穴を嵌合させることにより、前記反射鏡の取り付け角度を自由に変更できるようにした請求項１記載の画像形成装置を主要な特徴とする。
【０００５】
【発明の実施の形態】
以下、図面により本発明の実施の形態を詳細に説明する。図１は本発明による画像形成装置の実施の形態を示す概略斜視図である。図２は圧板の反射鏡ユニット取り付け部分を示す概略図である。図３は反射鏡ユニットを取り付けた状態を示す概略図である。図４は図３の線Ｂ−Ｂに沿う断面図である。
図１および図２において、画像形成装置（複写装置）１は、圧板２、コンタクトガラス３、原稿４、左スケール８および上スケール９を備えている。車椅子使用者５は、車椅子６上に着座した状態で画像形成装置１を操作しようとしている。
複写装置１の上面の奥側にある原稿セット基準１０は、原稿４をコンタクトガラス３上へセットする場合、通常の複写装置１は反射鏡１１によって奥側にある原稿セット基準１０を映し出すので、車椅子使用者５が原稿セット基準１０を見る目線は矢印７ａのようになる。
したがって、車椅子使用者５は斜め方向となる操作し易い高さで奥側にある原稿セット基準１０を見ることができ、原稿４を原稿セット基準１０に合わせてコンタクトガラス３上へセットすることが容易となる。
【０００６】
図２、図３および図４で示すように、圧板２の原稿押え面２ａに、目隠し蓋２ｂとこの目隠し蓋２ｂを保持するための保持用リブ２ｃ（リブ間のスリット２ｅ）およびネジ穴２ｄを、圧板２に一体成形にて設ける。
圧板２に設けた保持用リブ２ｃをニッパー等で切断することにより、圧板２から目隠し蓋２ｂを取り外すことができ、目隠し蓋２ｂを取り外した後に開いた嵌合穴へ、反射鏡ユニット１２を矢印１５方向へ挿入し嵌合させる。目隠し蓋２ｂを圧板に取り付けた状態では、圧板の外観を良好の保つことができる一方で、反射鏡ユニット１２を取り付ける際には、目隠し蓋２ｂを取り外すことにより、反射鏡ユニットの取付け作業が最適の位置に対して容易になされる。
反射鏡ユニット１２は、図４に示す如く、深皿状に成形され、かつネジ穴２ｄへ取り付けるための穴１４ａを設けたハウジング１４と、このハウジング１４内に配置した反射鏡１１とを備え、反射鏡１１を反射鏡ユニット１２として別体化する。ハウジング１４の外側面は開放しており、この開放部から内部の反射鏡１１を視認することができる。
ハウジング１４に設けた取り付け穴１４ａを使用して取り付けネジ１３によって、圧板２ａに設けたネジ穴２ｄへ反射鏡ユニット１２を取り付ける。なお、ハウジング１４への反射鏡１１の取り付け方法は任意で、反射鏡１１の取り付け角度１２ａの設定方法は、複写装置により異なるため任意とする。
しかしながら、対象となる複写装置の操作部中央に車椅子使用者５が位置したときに、反射鏡１１内へ原稿セット基準１０が写る角度が望ましい。その理由は原稿４のセット後に車椅子を移動させることなく、操作部１８の操作が可能となるためである。図１において、床からコンタクトガラス３面の高さを符号１７で示している。
このように原稿セット基準１０を映し出す（反射する）反射鏡１１を圧板２の原稿押え面２ａに設けたことにより、車椅子使用者５が圧板２開放時に反射鏡１１を見ることにより、車椅子６に座りながらにして原稿セット基準１０を上部から見る場合と同じ効果を得ることができ（図１の７ａ参照）、原稿４を原稿セット基準１０に合わせて容易にコンタクトガラス３上へセットすることができる。
すでにユーザーへ設置された複写装置においても、上記対応をした圧板２と交換することで、安価で容易に車椅子使用者５に対して操作性を向上させた画像形成装置（複写装置）を提供することができる。
【０００７】
図５は反射鏡ユニットの変形例を示す概略図である。図５で示すように、反射鏡１１の中央に軸１１ａを設ける。ハウジング１４の側面に軸嵌合穴１４ｂを設ける。
これにより、反射鏡１１の中央に設けた軸１１ａを、ハウジング１４の側面に設けた嵌合穴１４ｂへ嵌合させることにより、軸１１ａを中心として反射鏡１１を矢印１６方向へ回転させ、且つ任意の角度で固定することができ、反射鏡１１の取付け角度１２ａを自由に設定することができる。
【０００８】
【発明の効果】
以上説明したように、請求項１によれば、圧板の原稿押え面に目隠し蓋と目隠し蓋を保持するための保持用リブおよびネジ穴を設け、前記保持用リブをニッパー等で切断することにより設けられる嵌合穴へオプション化された反射鏡ユニットをユーザー先で取り付けることができる。
それによって反射鏡を必要としないユーザーに対するコストアップ、およびデザイン上の不都合（反射鏡を取付ける為の穴が初期から開けておくこと）を防止することができる。
請求項２によれば、反射鏡の取り付け角度を自由に設定することができるようにしたことにより、車椅子使用者がどの位置で複写装置を使用したとしても、原稿セット基準が見え易い角度へ反射鏡の取り付け角度を合わせ込むことが可能である。
【図面の簡単な説明】
【図１】本発明による画像形成装置の実施の形態を示す概略斜視図である。
【図２】圧板の反射鏡ユニット取り付け部分を示す概略図である。
【図３】反射鏡ユニットを取り付けた状態を示す概略図である。
【図４】図３の線Ｂ−Ｂに沿う断面図である。
【図５】反射鏡ユニットの変形例を示す概略図である。
【図６】従来の画像形成装置および車椅子使用者を示す概略斜視図である。
【図７】図６の画像形成装置における原稿セットを説明する概略図である。
【図８】画像形成装置の圧板に反射鏡を設けた構成を示す概略図である。
【図９】反射鏡の取り付け角度を説明するための図８の線Ａ−Ａに沿う断面図である。
【符号の説明】
１    画像形成装置（複写装置）
２    圧板
２ａ  原稿押さえ面
２ｂ  目隠し蓋
２ｃ  保持用リブ
２ｄ  ネジ穴
３    コンタクトガラス
４    原稿
５    車椅子使用者
１０    原稿セット基準
１１    反射鏡
１１ａ  軸
１２    反射鏡ユニット
１４    ハウジング
１４ｂ  軸嵌合穴
【図１】
2004354774.tif 000003
【図２】
2004354774.tif 000004
【図３】
2004354774.tif 000005
【図４】
2004354774.tif 000006
【図５】
2004354774.tif 000007
【図６】
2004354774.tif 000008
【図７】
2004354774.tif 000009
【図８】
2004354774.tif 000010
【図９】
2004354774.tif 000011